(57)【要約】【課題】容器を開封することなく、当該容器内に収容されている液体の酸化還元電位を容易に確認することができ、サイズもコンパクトな蓋体を提供する。【解決手段】蓋体１００は、液体Ｒを収容する容器５０の開口部５１を着脱可能に閉塞する部材であり、容器５０内の液体Ｒと接触可能に配置された一対の電極１１，１２と、容器５０内の液体Ｒを電極１１，１２に接触させたとき電極１１，１２間に発生する電位差に基づいて酸化還元電位を算出する機能などを有する制御回路１３と、制御回路１３による算出結果を表示する表示手段である発光体１４，１５と、を備えている。電極１１は白金電極、電極１２は塩化銀電極である。電極１１，１２間の電位差に基づいて算出された酸化還元電位が予め設定された基準電位より高電圧であれば、緑色ＬＥＤの発光体１５が点灯し、基準電位より低電圧であれば赤色ＬＥＤの発光体１４が点灯する。【選択図】図１
2013112398.tif 000002
【特許請求の範囲】
【請求項１】
液体を収容可能な容器の開口部を閉塞する蓋体であって、前記容器内に収容された液体と接触可能に配置された一対の電極と、前記容器内の液体を前記電極に接触させたとき前記電極間に発生する電位差に基づいて前記液体の酸化還元電位を算出する演算手段と、前記演算手段による算出結果を表示する表示手段と、を備えたことを特徴とする蓋体。
【請求項２】
一対の前記電極の一方を白金電極とし、他方を塩化銀電極とした請求項１記載の蓋体。
【請求項３】
前記演算手段で算出された酸化還元電位を予め設定された基準電圧と比較して、その大小関係に対応した情報を前記表示手段に表示する請求項１または２記載の蓋体。
【請求項４】
前記表示手段として、前記大小関係に対応した色を発光する単数若しくは複数の発光体を設けた請求項１〜３のいずれかに記載の蓋体。
【発明の詳細な説明】
【技術分野】
【０００１】
本発明は、強酸性水などの液体を収容する容器の開口部を閉塞するために使用される蓋体に関する。
【背景技術】
【０００２】
近年、水に塩化ナトリウムなどの電解質を加えて電気分解することによって生成される強酸性水（酸化還元電位が比較的高い水）や強アルカリ性水（酸化還元電位が比較的低い水）が様々な分野で利用されている。しかしながら、液体の酸化還元電位は不安定であり、温度あるいはその他の外的要因により経時的に変動し易いので、例えば、強酸性水生成装置で生成された強酸性水を、その酸化還元電位を安定に保ったまま長時間保存することは困難である。
【０００３】
そこで、収容された液体の酸化還元電位を一定に維持することができるようにした酸化還元電位保持容器が提案されている（例えば、特許文献１参照。）。
【先行技術文献】
【特許文献】
【０００４】
【特許文献１】特開２００９−６７４５８号公報
【発明の概要】
【発明が解決しようとする課題】
【０００５】
特許文献１記載の酸化還元電位保持容器を用いて液体を保管すれば、ある程度の期間内は当該液体の酸化還元電位を一定値に維持することができると推測されるが、保管中の液体を実際に使用するとき、その酸化還元電位が生成時の状態に維持されているか否かを確認するためには、その都度、当該容器を開封して液体を取り出し、酸化還元電位計を用いて計測しなければならない。このため、保管中の液体の酸化還元電位を定期的に確認することが困難である。また、当該容器を開封したときは、収容中の液体が空気に触れるので、それによる液体の酸化還元電位の変化も無視できない。
【０００６】
また、酸化還元電位保持容器に収容されている液体が、何らかの外的要因（例えば、著しい気温変化など）によって変質し、酸化還元電位が大きく変動するようなことがあっても、それが判明するのは、当該容器を開封して液体を取り出し、酸化還元電位計を用いて計測したときになるので、液体を必要としたときに当該液体の酸化還元電位が必要値を満たさず、使用できない事態が生じることがある。
【０００７】
そこで、本発明が解決しようとする課題は、容器を開封することなく、当該容器内に収容されている液体の酸化還元電位を容易に確認することができ、サイズもコンパクトな蓋体を提供することにある。
【課題を解決するための手段】
【０００８】
本発明の蓋体は、液体を収容する容器の開口部を閉塞する蓋体であって、前記容器内の液体と接触可能に配置された一対の電極と、前記容器内の液体を前記電極に接触させたとき前記電極間に発生する電位差に基づいて酸化還元電位を算出する演算手段と、前記演算手段による算出結果を表示する表示手段と、を備えたことを特徴とする。
【０００９】
このような構成とすれば、液体を収容した容器の開口部を本発明の蓋体で閉塞している状態であっても、当該容器を傾斜若しくは倒立させ、容器内の液体を、蓋体に配置された一対の電極に接触させると前記電極間に電位差が発生し、この電位差に基づいて演算手段が算出した前記液体の酸化還元電位が表示手段に表示されるので、容器を開封することなく、当該容器内に収容されている液体の酸化還元電位を容易に確認することができる。また、従来の酸化還元電位計で使用されているＫＣｌ溶液などを使用しないので、蓋体のサイズをコンパクトにすることができる。
【００１０】
ここで、一対の前記電極の一方を白金電極とし、他方を塩化銀電極とすることが望ましい。このような構成とすれば、容器内に収容されている液体が強酸性水である場合、白金電極と塩化銀電極との間に生じる起電力に基づいて、当該強酸性水の酸化還元電位を正確に検出することができ、耐久性も良好である。なお、一対の前記電極は、白金電極及び塩化銀電極に限定しないので、強酸性水と接触したときに電位差（起電力）を生じる異種金属であれば、その他の電極を使用することもできる。
【００１１】
また、前記演算手段で算出された酸化還元電位を予め設定された基準電圧と比較して、その大小関係に対応した情報を前記表示手段に表示するようにすることができる。
【００１２】
このような構成とすれば、容器に収容されている液体の酸化還元電位が所定値を満たしているか否かを容易に判断することができるので、利便性が向上する。
【００１３】
この場合、前記表示手段として、前記大小関係に対応した色を発光する単数若しくは複数の発光体を設けることができる。
【００１４】
このような構成とすれば、容器に収容されている液体の酸化還元電位が所定値を満たしているか否かを発光体の色で識別することができるので、視認性が向上する。
【発明の効果】
【００１５】
本発明により、容器を開封することなく、当該容器内に収容されている液体の酸化還元電位を容易に確認することができ、サイズもコンパクトな蓋体を提供することができる。
【図面の簡単な説明】
【００１６】
【図１】本発明の第１実施形態である蓋体が容器の開口部に装着された状態を示す断面図である。
【図２】図１に示す蓋体の上面図である。
【図３】図１に示す蓋体の機能ブロック図である。
【図４】図１に示す蓋体の使用状態を示す断面図である。
【図５】本発明の第２実施形態である蓋体を示す上面図である。
【図６】本発明の第３実施形態である蓋体を示す上面図である。
【発明を実施するための形態】
【００１７】
以下、図１〜図４に基づいて、本発明の第１実施形態である蓋体１００について説明する。図１，図２に示すように、蓋体１００は、液体Ｒ（強酸性水）を収容する容器５０の開口部５１を着脱可能に閉塞する部材であり、容器５０内の液体Ｒと接触可能に配置された一対の電極１１，１２と、容器５０内の液体Ｒを電極１１，１２に接触させたとき電極１１，１２間に発生する電位差に基づいて酸化還元電位を算出する機能などを有する制御回路１３と、制御回路１３による演算結果を表示する表示手段である発光体１４，１５と、を備えている。一方の電極１１は白金電極であり、他方の電極１２は塩化銀電極であるが、これに限定するものではない。
【００１８】
蓋体１００は、絶縁性を有する合成樹脂で形成されたハウジング１０１の下側に、容器５０の円筒状の開口部５１の外周に形成された雄ネジ部５２に螺合可能な凹状の雌ネジ部１０２が形成され、雌ネジ部１０２の天井面１０３に一対の電極１１，１２が配置されている。制御回路１３はハウジング１０１内に収納され、ハウジング１０１の上面１０４に発光体１４，１５が配置されている。電極１１，１２と、制御回路１３と、発光体１４，１５と、は所定の電気配線によって接続されている。発光体１４は赤色ＬＥＤであり、発光体１５は緑色ＬＥＤである。
【００１９】
図３に示すように、ハウジング１０１内の制御回路１３は、演算手段（１ビットマイコン）１６と、基準電位発生部１７と、コンパレータ１８と、を備えている。電極１１，１２間に発生する電位差が演算手段１６に入力されると、この電位差に基づいて演算手段１６が酸化還元電位を算出し、この酸化還元電位と、基準電位発生部１７で別途発生させた基準電圧とをコンパレータ１８が比較し、酸化還元電位が、予め設定された基準電位より高電圧であれば緑色ＬＥＤの発光体１５が点灯し、基準電位より低電圧であれば赤色ＬＥＤの発光体１４が点灯する機能が設けられている。
【００２０】
ここで、図１，図２を参照しながら、蓋体１００の使い方について説明する。図１に示すように、通常、蓋体１００は、液体Ｒ（強酸性水）が収容された容器５０の開口部５１の閉塞器具として使用されているが、必要に応じて、蓋体１００を緩めて開口部５１から取り外せば、液体Ｒを開口部５１から注ぎ出すことができる。
【００２１】
容器５０内の液体Ｒの酸化還元電位を知りたい場合、図４に示すように、蓋体１００が装着された容器５０をそのままの状態で倒立させ（若しくは傾斜させ）、内部の液体Ｒを蓋体１００の電極１１，１２に接触させる。これにより、制御回路１３の電源がＯＮされ、電極１１，１２間で発生した電位差に基づいて演算手段１６が酸化還元電位差を算出し、この酸化還元電位と、基準電位発生部１７で発生させた基準電圧と、の差をコンパレータ１８が比較し、その結果が、予め設定された基準電位（例えば、１０００ｍＶ）より高電圧であれば、緑色ＬＥＤの発光体１５が点灯し、基準電位より低電圧であれば赤色ＬＥＤの発光体１４が点灯する。
【００２２】
この場合、測定値を安定させるために、蓋体１００が装着された容器５０を倒立させ、一定時間（例えば、１０秒間程度）保持した後、正立状態に戻すことによって発光体１４，１５が点灯する機能が設けられている。また、このような測定手順は蓋体１００の外面に表示されている。
【００２３】
このように、液体Ｒを収容した容器５０の開口部５１が蓋体１００で閉塞されている状態であっても、当該容器５０を倒立させ（若しくは傾斜させ）、容器５０内の液体Ｒを、蓋体１００に配置された一対の電極１１，１２に接触させると、電極１１，１２間に発生する電位差に基づいて制御回路１３が算出した結果が表示手段である発光体１４，１５に表示されるので、容器５０を開封することなく、当該容器５０内に収容されている液体Ｒの酸化還元電位を知ることができる。
【００２４】
ここで、一方の電極１１を白金電極とし、他方の電極１２を塩化銀電極としているので、容器５０内に収容された液体Ｒ（強酸性水）を電極１１，１２に接触させたとき、白金電極と塩化銀電極との間に生じる起電力に基づいて、正確に酸化還元電位を算出することができ、耐久性も良好である。また、従来の酸化還元電位計で使用されているＫＣｌ溶液などを使用しないので、蓋体１００のサイズをコンパクトにすることができる。なお、一対の電極１１，１２は、白金電極及び塩化銀電極に限定しないので、強酸性水と接触したときに電位差（起電力）を生じる異種金属であれば、その他の電極を使用することもできる。
【００２５】
また、演算手段１６で算出された酸化還元電位を予め設定された基準電圧と比較して、その大小関係に対応して、発光体１４または発光体１５が点灯する構成となっているため、容器５０内に収容されている液体Ｒの酸化還元電位が所定値を満たしているか否かを容易に判断することができ、利便性に優れている。
【００２６】
さらに、電極１１，１２間の電位差に基づいて演算手段１６が算出した酸化還元電位と基準電位との大小関係をコンパレータ１８が判断して、それに対応した色を発光する複数の発光体１４，１５が設けられているので、容器５０内の液体Ｒの酸化還元電位が所定値を満たしているか否かを発光体１４，１５の色で識別することができ、視認性も良好である。
【００２７】
次に、図５に基づいて、本発明の第２実施形態である蓋体２００について説明する。図５に示す蓋体２００においては、ハウジング２０１の上面２０４に発光色の異なる３個の発光体２１，２２，２３が配置され、ハウジング２０１内には図１に示す制御回路１３と同様の機能を有する制御回路（図示せず）が設けられている。発光体２１は赤色ＬＥＤであり、発光体２２は黄色ＬＥＤであり、発光体２３は緑色ＬＥＤである。
【００２８】
蓋体２００は、図１に示す蓋体１００と同様に容器５０に装着して使用することができ、図４に示すような操作を行うと、容器内の液体の酸化還元電位に応じて発光体２１，２２，２３が点灯する。具体的には、酸化還元電位が高いときは「緑色の発光体２１」が点灯し、酸化還元電位が低くなるにつれて、「緑色の発光体２１と黄色の発光体２２」、「黄色の発光体２２」、「黄色の発光体２２と赤色の発光体２１」、「赤色の発光体２１」の順番で点灯する。従って、発光体２１，２２，２３のいずれが点灯しているかによって酸化還元電位の変化を視認することができる。
【００２９】
なお、蓋体２００において、発光体２１，２２，２３を同色とし、酸化還元電圧に応じて点灯する個数が変化するように構成することもできる。また、発光体として、１個で複数の色光を発光する機能を有するＬＥＤを使用し、酸化還元電圧に応じた色を発光させる構成とすることもできる。
【００３０】
次に、図６に基づいて、本発明の第３実施形態である蓋体３００について説明する。図６に示す蓋体３００においては、ハウジング３０１の上面３０４に酸化還元電位を数値で示す表示部３０が設けられている。即ち、図３に示す電極１１，１２間の電位差に基づいて演算手段１６によって換算された酸化還元電位の具体的数値が表示部３０に表示されるようになっている。従って、容器内に収容された液体（図示せず）の酸化還元電位を正確に知ることができる。
【００３１】
なお、前述した蓋体１００，２００，３００は本発明の実施形態の一部を示すものであり、本発明の蓋体はこれらの蓋体１００，２００，３００に限定されない。
【産業上の利用可能性】
【００３２】
本発明の蓋体は、電気分解によって生成された強酸性水などを保管する容器の開口部の閉塞手段として、様々な産業分野において広く利用することができる。
【符号の説明】
【００３３】
１１，１２  電極
１３  制御回路
１４，１５，２１，２２，２３  発光体
１６  演算手段
１７  基準電位発生部
１８  コンパイラ
５０  容器
５１  開口部
５２  雄ネジ部
１００，２００，３００  蓋体
１０１，２０１，３０１  ハウジング
１０２  雌ネジ部
１０３  天井面
１０４，２０４，３０４  上面
Ｒ  液体
【図１】
2013112398.tif 000003
【図２】
2013112398.tif 000004
【図３】
2013112398.tif 000005
【図４】
2013112398.tif 000006
【図５】
2013112398.tif 000007
【図６】
2013112398.tif 000008